(57)【要約】  少なくとも２つの溶解性フィルムと、溶解性フィルムを受容および格納するための容器であって、蓋、底部分、および蓋を底部分に接続するヒンジ手段を備える、容器と、を備える、キットが説明され、蓋および底部分は、溶解性フィルムにアクセスするための開放位置と、蓋および底部分が、蓋および底部分上の１組の対応する溝、ならびに蓋および底部分上に配置される協働表面を備える、不連続システムを通じて、封止係合する、閉鎖位置との間で移動する。【選択図】図１
2015533738.tif 000002
【特許請求の範囲】
【請求項１】
キットであって、
少なくとも２つの溶解性フィルムと、
前記溶解性フィルムを受容および格納するための容器であって、蓋、底部分、および前記蓋を前記底部分に接続するヒンジ手段を備える、容器と、を備え、
前記蓋および前記底部分は、前記溶解性フィルムにアクセスするための開放位置と、前記蓋および前記底部分が、前記蓋および前記底部分上の１組の対応する溝、ならびに前記蓋および前記底部分上に配置される協働表面を備える、不連続システムを通じて封止係合する、閉鎖位置との間で移動する、キット。
【請求項２】
前記容器の前記底部分は、前記封止システムの前記協働表面のうちの１つである、湾曲した部分をさらに備える、請求項１に記載のキット。
【請求項３】
前記容器の前記蓋は、前記封止システムの前記協働表面のうちの他方である、プロファイルされた壁をさらに備える、請求項２に記載のキット。
【請求項４】
前記容器は、ラッチをさらに備える、請求項１に記載のキット。
【請求項５】
前記ラッチは、スナップ密封する、請求項４に記載のキット。
【請求項６】
前記容器の前記蓋および前記底部分上の前記対応する溝は、スナップ嵌合を形成する、請求項１に記載のキット。
【請求項７】
前記容器の前記蓋および前記底部分上の前記対応する溝は、相互係止するリブをさらに備える、請求項１に記載のキット。
【請求項８】
前記容器は、４つの側面を有し、対応する溝は、前記容器の３つの側面上のみに配置される、請求項６または７に記載のキット。
【発明の詳細な説明】
【技術分野】
【０００１】
関連出願の相互参照
本出願は、その全体として参照することにより本明細書に組み込まれる、２０１２年９月２１日に出願された米国仮特許出願第６１／７０４，０６９号からの優先権を主張する。
【０００２】
以下の開示は、概して、パッケージングおよび容器、具体的には、その耐湿性変形に関する。
【背景技術】
【０００３】
パーソナルケアフィルムは、スキンケア、ヘアケア、または化粧用途のため等の組成物を送達するための好都合なプラットフォームを提供する。かかるフィルムは、エンドユーザによって提供される水または水性組成物との接触時に迅速に溶解するように設計される。当該産業における重要な目標は、これらのフィルムの性能が、それらの従来の湿潤対応物のそれに匹敵しつつ、フィルムのさらなる可搬性および利便性を提供することである。
【０００４】
パーソナルケアフィルムを含む、化粧品の成功は、それがユーザにとってどのような感触がするかに大いに依存する。一部の場合において、これは、溶解の速度といった使用時属性、および感覚属性を指す。しかしながら、ユーザの経験が単なる製品の使用を越えて拡大するという事実のために、用途は増大している。例えば、個々のフィルムが共に密着し、分離不可能である場合、ユーザは、製品がその意図された使用に対していかに良好に性能するかにかかわらず、苛立つであろう。
【０００５】
したがって、改善されたパッケージング方法およびデバイス、具体的には、新たな耐湿性容器が必要とされる。
【図面の簡単な説明】
【０００６】
【図１】本発明の開放溶解性フィルム容器の一実施形態の斜視図である。
【図２】閉鎖位置にある、図１の断面図  実施形態である。
【図３】本発明の開放溶解性フィルム容器の別の実施形態の斜視図である。
【図４】閉鎖位置にある、図３の断面図  実施形態である。
【発明を実施するための形態】
【０００７】
図１を参照すると、溶解性フィルム容器１０は、溶解性フィルムを含有するように提供される。本発明は、単回用量装置ではないことが理解されるべきである。「溶解性フィルム」は、当該技術分野において既知の用語である。好ましい実施形態において、溶解性フィルムは、米国特許公開第２０１０／０２０４３４１号において説明されるようなもの等である。理解され得るように、溶解性フィルムは、感湿性であり、水性組成物での意図的な活性化の前に、湿気への曝露から保護される必要がある。
【０００８】
溶解性フィルム容器１０は、ヒンジ手段４０によって接続される、蓋２０、および底部分３０を有する。「開放」位置（例解される）において、蓋２０および底部分３０は、係合されない。「閉鎖」位置において、蓋２０および底部分３０は、下で図２に関して述べられるように、封止係合される。
【０００９】
蓋２０は、上部材２２と、上部材の３つの側面から外方に、かつその周辺に延在する壁２４と、ヒンジ手段４０に隣接して上部材の第４の側面上に配置される不連続の内壁２６とを備える。上部材２２は、窓（図示せず）または製品マーケティング情報もしくは画像（図示せず）を含有してもよい。
【００１０】
壁２４は、底部分３０により良好に係合するように、溝でプロファイルされ得る。一実施形態において、蓋２０および底部分３０は、面が単に共平面の表面として相接する場合よりも、良好な封止を提供するように係合する、対応する溝を各々有する。一実施形態において、溝は、蓋２０および底部分３０の係合表面によって画定される軸に対して平行に延びる。一実施形態において、蓋２０および底部分３０は、対応する溝、および相互係止するリブを各々有する。
【００１１】
キャッチ２８ａを伴うラッチ２８は、ヒンジ手段４０に遠位の壁２４の部分から延在する。ラッチ２８は、下で図２に関してさらに詳細に述べられる。
【００１２】
レリーフ２９は、ラッチを底部分３０から係脱するために、ラッチを屈曲させる際にユーザを支援するように、ラッチ２８に隣接して形成され得る。一実施形態において、レリーフ２９は、そうでなければ、溶解性フィルム容器１０の成形中に出現する可能性がある収縮または歪んだ特性を低減するために存在する。
【００１３】
底部分３０は、ヒンジ手段４０に上方に傾斜する湾曲した部分３２ａを有する、ベース部材３２を備える。壁３４は、ベース部材３２の３つの側面から外方に、かつその周辺に延在する。描写されるように、壁３４は、蓋２０の壁２４に封止係合するようにプロファイルされる。陥凹３６は、蓋２０のキャッチ２８ａを受容するように、壁３４上に配置される。
【００１４】
ヒンジ手段４０は、当該技術分野における任意の従来のものであってもよい。一実施形態において、ヒンジ手段４０は、ピン留めヒンジである。一実施形態において、ヒンジ手段４０は、プラスチック等の弾性材料の比較的薄い片であり、これは時折、リビングヒンジと称される。
【００１５】
図２に戻ると、閉鎖位置において、溶解性フィルム容器１０は、ラッチ密封および封止係合される。例えば、ラッチ２８のキャッチ２８ａは、壁３４の陥凹３６中で係合される。壁３４は、蓋２０の壁２４と共に封止係合される。一実施形態において、壁３４および壁２４の協働プロファイル、またはキャッチ２８ａおよび陥凹３６の協働面のいずれかが、スナップ嵌合を提供するために設計される。一実施形態において、壁３４および壁２４の協働プロファイル、ならびにキャッチ２８ａおよび陥凹３６の協働面の両方が、スナップ嵌合を提供するために設計される。蓋２０の不連続の内壁２６は、ベース部材３２の湾曲した部分３２ａに係合するように適合され、蓋２０と底部分３０との間の封止を完了する。
【００１６】
軸Ａは、ヒンジ手段４０から壁３４の頂部まで描画され得る。これは、壁２４および３４が単に共平面の面であった場合、封止軸であろう。しかしながら、壁３４および壁２４の協働プロファイルが相互作用するため、かつ不連続の内壁２６が湾曲した部分３２ａに係合するため、別の軸Ｂは、効果的な封止軸として描画され得る。効果的な封止軸Ｂは、ヒンジ軸Ａの下にあり、これは、有利であることに留意されたい。
【００１７】
したがって、本実施形態は、高度に耐湿性であることの利点を有することが理解される。
【００１８】
ここで図３を参照すると、代替的な実施形態において、溶解性フィルム容器５０は、溶解性フィルムを含有するように提供される。溶解性フィルム容器５０は、ヒンジ手段８０によって接続される、蓋６０、および底部分７０を有する。「開放」位置（例解される）において、蓋６０および底部分７０は、係合されない。「閉鎖」位置において、蓋６０および底部分７０は、下で図４に関して述べられるように、封止係合される。
【００１９】
蓋６０は、上部材６２と、上部材の３つの側面から外方に、かつその周辺に延在する壁６４と、ヒンジ手段８０に隣接して上部材の第４の側面上に配置される不連続の内壁６６とを備える。上部材６２は、窓（図示せず）または製品マーケティング情報もしくは画像（図示せず）を含有してもよい。
【００２０】
壁６４は、底部分７０により良好に係合するように、溝でプロファイルされ得る。一実施形態において、蓋６０および底部分７０の各々は、面が単に共平面の表面として相接する場合よりも、良好な封止を提供するように係合する、対応する溝を有する。一実施形態において、溝は、蓋６０および底部分７０の係合表面によって画定される軸に対して平行に延びる。一実施形態において、蓋６０および底部分７０の各々は、対応する溝、および相互係止するリブを有する。
【００２１】
キャッチ６８ａを伴うラッチ６８は、ヒンジ手段８０に遠位の壁６４の部分から延在する。ラッチ６８は、下で図４に関してさらに詳細に述べられる。
【００２２】
レリーフ６９は、ラッチを底部分７０から係脱するために、ラッチを屈曲させる際にユーザを支援するように、ラッチ６８に隣接して形成され得る。一実施形態において、レリーフ６９は、そうでなければ、溶解性フィルム容器５０の成形中に出現する可能性がある収縮または歪んだ特性を低減するために存在する。
【００２３】
底部分７０は、ヒンジ手段８０に上方に傾斜する湾曲した部分７２ａを有する、ベース部材７２を備える。壁７４は、ベース部材７２の３つの側面から外方に、かつその周辺に延在する。描写されるように、壁７４は、蓋６０の壁６４に封止係合するようにプロファイルされる。陥凹７６は、蓋６０のキャッチ６８ａを受容するように、壁７４上に配置される。
【００２４】
ヒンジ手段８０は、当該技術分野における任意の従来のものであってもよい。一実施形態において、ヒンジ手段は、プラスチック等の弾性材料の比較的薄い片であり、これは時折、リビングヒンジと称される。
【００２５】
図４に戻ると、閉鎖位置において、溶解性フィルム容器５０は、ラッチ密封および封止係合される。例えば、ラッチ６８のキャッチ６８ａは、壁７４の陥凹７６中で係合される。壁７４は、蓋６０の壁６４と共に封止係合される。一実施形態において、壁７４および壁６４の協働プロファイル、またはキャッチ６８ａおよび陥凹７６の協働面のいずれかが、スナップ嵌合を提供するために設計される。一実施形態において、壁７４および壁６４の協働プロファイル、およびキャッチ６８ａおよび陥凹７６の協働面の両方が、スナップ嵌合を提供するために設計される。蓋６０の不連続の内壁６６は、ベース部材７２の湾曲した部分７２ａに係合するように適合され、蓋６０と底部分７０との間の封止を完了する。
【００２６】
軸Ｃは、ヒンジ手段８０から壁７４の頂部まで描画され得る。これは、壁６４および７４が単に共平面の面であった場合、封止軸であろう。しかしながら、壁７４および壁６４の協働プロファイルが相互作用するため、かつ不連続の内壁６６が湾曲した部分７２ａに係合するため、別の軸は、効果的な封止軸として描画され得る。効果的な封止軸Ｄは、ヒンジ軸Ｃの下にあり、これは、有利であることに留意されたい。
【００２７】
したがって、本実施形態は、高度に耐湿性であることの利点を有することが理解される。
【００２８】
上で説明されるもの等の多くの容器が、より大きいレセプタクル（化粧技術分野におけるコンパクト等）においてパッケージ化および販売され得ることが企図される。一実施形態において、各容器は、異なって調合された溶解性フィルムを含有し得る。
【図１】
2015533738.tif 000003
【図２】
2015533738.tif 000004
【図３】
2015533738.tif 000005
【図４】
2015533738.tif 000006
【国際調査報告】
2015533738.tif 000007
2015533738.tif 000008